(57)【要約】【課題】配線コードを収納して隠蔽する配線収納部を備えた机において、机の設置現場等における机の組み立て作業を容易に行うことができる机を提供すること。【解決手段】左右の側脚５，５と両側脚５，５の上方で支持される天板４とを有する机１において、左右の側板１１，１１と、両側板１１，１１に連結される前面板１２と、前面板１２と側板１１，１１とで形成される内面に連結される支持板１３，１４と、側板１１，１１と離間して支持板１３，１４に連結される後面板１７と、離間した部分を開放可能に閉塞する扉板３８と、を備える配線収納ユニット６が設けられ、配線収納ユニット６が、側脚１１，１１と天板４に囲まれた空間における後方位置にて、側脚５，５に取り付けられる。【選択図】図２
2008194097.tif 000002
【特許請求の範囲】
【請求項１】
左右の側脚と該両側脚の上方で支持される天板とを有する机において、
左右の側板と、該両側板に連結される前面板と、該前面板と前記側板とで形成される内面に連結される支持板と、少なくともいずれかの前記側板と離間して前記支持板に連結される後面板と、前記離間した部分を開放可能に閉塞する扉板と、を備える配線収納ユニットが設けられ、該配線収納ユニットが、前記側脚と前記天板に囲まれた空間における後方位置にて、前記側脚に取り付けられることを特徴とする机。
【請求項２】
前記後面板が、左右両方の前記側板から離間されて配置されるとともに、前記扉板が前記後面板の左右に配置され、前記左右の扉板が、それぞれ左右の前記側板に蝶着されていることを特徴とする請求項１に記載の机。
【請求項３】
前記前面板の下端が、床面に近接配置されている前記後面板及び前記扉板の下端よりも上方位置になるように配置されていることを特徴とする請求項１または２に記載の机。
【請求項４】
前記扉板の上端縁と前記天板の下面との間の少なくとも一部には、間隙部が設けられていることを特徴とする請求項１ないし３のいずれかに記載の机。
【請求項５】
前記扉板を蝶着させる蝶番は、該蝶番の回動軸がスライド移動されるようになっていることを特徴とする請求項２ないし４のいずれかに記載の机。
【発明の詳細な説明】
【技術分野】
【０００１】
本発明は、左右の側脚と該両側脚の上方で支持される天板とを有する机に関する。
【背景技術】
【０００２】
従来の机には、天板の下方側における左右の脚体（側脚）間の後方側に、配線収納部を机と一体的に設けるとともに、開閉扉（扉板）を左右脚体に蝶着し、この開閉扉を開放することでパソコン本体や電話機等の配線コードを配線収納部内に容易に収納することができ、かつ開閉扉を閉塞することで配線コードを隠蔽して机の見栄えよくしたものがある（例えば、特許文献１参照）。
【０００３】
【特許文献１】特許第３５４７２５１号公報（第３頁、第１図）
【発明の開示】
【発明が解決しようとする課題】
【０００４】
しかしながら、特許文献１に記載の机にあっては、机の設置現場等にて、配線収納部を構成する部材を脚体（側脚）に取り付けるとともに、開閉扉（扉板）を脚体に蝶着しているので、机の設置現場における机の組み立ての工程が多くなり、かつ特に両脚体が天板を上方で支持している状態で開閉扉を蝶着しなければならないので、開閉扉の取付作業が面倒であるという問題がある。
【０００５】
本発明は、このような問題点に着目してなされたもので、配線コードを収納して隠蔽する配線収納部を備えた机において、机の設置現場等における机の組み立て作業を容易に行うことができる机を提供することを目的とする。
【課題を解決するための手段】
【０００６】
前記課題を解決するために、本発明の請求項１に記載の机は、
左右の側脚と該両側脚の上方で支持される天板とを有する机において、
左右の側板と、該両側板に連結される前面板と、該前面板と前記側板とで形成される内面に連結される支持板と、少なくともいずれかの前記側板と離間して前記支持板に連結される後面板と、前記離間した部分を開放可能に閉塞する扉板と、を備える配線収納ユニットが設けられ、該配線収納ユニットが、前記側脚と前記天板に囲まれた空間における後方位置にて、前記側脚に取り付けられることを特徴としている。
この特徴によれば、配線コード類を収納して隠蔽するための配線収納ユニットを、側板と前面板と支持板と後面板とにより強固な略箱体形状に形成するとともに、側脚や天板とは別体としてユニット化することで、予め工場等で配線収納ユニットを形成しておくことができ、机の設置現場等にて、扉板を側板に取り付けたり、配線収納ユニットに関する部材の組み立て作業を行う必要がなくなり、机の設置現場における机の組み立て作業を容易に行うことができる。
【０００７】
本発明の請求項２に記載の机は、請求項１に記載の机であって、
前記後面板が、左右両方の前記側板から離間されて配置されるとともに、前記扉板が前記後面板の左右に配置され、前記左右の扉板が、それぞれ左右の前記側板に蝶着されていることを特徴としている。
この特徴によれば、扉板が２枚設けられることで、左右方向から配線収納ユニット内に配線コードを収納し易くなるばかりか、左右側板に左右の扉板が取り付けられることで、２枚の扉板が互いに左右の外方側に開放されるようになり、互いの扉板が干渉し合うことなく、左右の扉板を開放した状態で配線収納ユニット内に配線コードの収納を行い易くなる。
【０００８】
本発明の請求項３に記載の机は、請求項１または２に記載の机であって、
前記前面板の下端が、床面に近接配置されている前記後面板及び前記扉板の下端よりも上方位置になるように配置されていることを特徴としている。
この特徴によれば、配線収納ユニットの下方に前方側に開口された空間が形成されるようになり、机の使用者が着席した状態で、後面板と扉板とで使用者の足元を隠蔽しつつ、使用者の爪先が配線収納ユニットに当接するのを防ぐことができる。
【０００９】
本発明の請求項４に記載の机は、請求項１ないし３のいずれかに記載の机であって、
前記扉板の上端縁と前記天板の下面との間の少なくとも一部には、間隙部が設けられていることを特徴としている。
この特徴によれば、使用者が間隙部に手を挿入して扉板の上端を把持し、扉板を開放することができるため、扉板の開閉のための取手等を扉板に設ける必要がなくなり、机の体裁をよくすることができるとともに、この間隙部から配線収納ユニット内に収納された配線コードを外部に導出することができる。
【００１０】
本発明の請求項５に記載の机は、請求項２ないし４のいずれかに記載の机であって、
前記扉板を蝶着させる蝶番は、該蝶番の回動軸がスライド移動されるようになっていることを特徴としている。
この特徴によれば、蝶番の回動軸がスライド移動されることで、扉板が側脚に当接されることなく開放できるようになり、扉板と側脚との間に隙間が形成されることなく取り付けることができ、机の見栄えを向上させることができる。
【発明を実施するための最良の形態】
【００１１】
本発明に係る机を実施するための最良の形態を実施例に基づいて以下に説明する。
【実施例】
【００１２】
本発明の実施例を図面に基づいて説明すると、先ず図１は、本発明が適用された机を示す斜視図であり、図２は、机を示す分解斜視図であり、図３は、収納ユニットを示す縦断側面図であり、図４は、収納ユニットを示す縦断背面図であり、図５は、扉板が開放された状態の収納ユニットを示す斜視図であり、図６は、扉板が閉鎖された状態の収納ユニットを示す横断平面図であり、図７は、扉板が開放された状態の収納ユニットを示す横断平面図である。以下、図１及び図２の紙面左上方側を机の正面側（前方側）とし、図３の紙面左方側を机の正面側（前方側）とし、図６及び図７の紙面上方側を机の正面側（前方側）として説明する。
【００１３】
図１の符号１は、主に会社等で役員が使用する木製の事務机である。この机１は、机上で使用するパソコン本体２等の配線コード３などを、机１の幕板として構成されている天板４下方の側脚５，５間に設けられた配線収納ユニット６内に収納することができる（図３参照）。この配線収納ユニット６によってパソコン本体２等の配線コード３などを隠蔽して机１の見栄えをよくしている。
【００１４】
図２に示すように、本実施例の机１は、左右に離間して配置される２つの側脚５，５と、この側脚５，５の上端縁に取り付けられる渡設板７と、渡設板７の上面側に取り付けられる天板４と、略箱体形状をなす配線収納ユニット６とにより構成されている。
【００１５】
側脚５，５は、その内側面側に金属製のＬ字アングル８の垂直部８ａがネジ（図示略）によって取り付けられているとともに、側脚５，５は、その内側面を対向させた状態で立設されるようになっている。また、側脚５，５の上端縁同士には、矩形状の板部材をなす渡設板７が渡されており、側脚５，５に設けられたＬ字アングル８の水平部８ｂが、渡設板７の下面の左右端部に当接し、この水平部８ａに下方から挿通されたネジ９によってＬ字アングル８と渡設板７とが螺着され、側脚５，５と渡設板７が連結されている。
【００１６】
更に、渡設板７の上面には、天板４が載置されるようになっている。天板４は渡設板７よりも若干大きい略矩形状の板部材となっている。尚、特に図示はしないが、天板４と渡設板７とを渡設板７の下方から挿通したネジを天板４に螺着することで互いに固定するようにしてもよい。天板４と渡設板７との２枚の板部材を用いていることで、机１の重量を増やすことができ、机１のぐらつき等を防止できるばかりか、机１の重量が増しても天板４と渡設板７とを別々にして運搬できるため、机１の運搬作業が容易に行える。
【００１７】
配線収納ユニット６は、背面視において渡設板７と側脚５，５とによって囲まれて形成される空間とほぼ補形をなす略矩形状に形成されている。また、配線収納ユニット６は、机１の幕板としても機能するように、渡設板７と側脚５，５とによって囲まれた空間における後方位置に設けられており、配線収納ユニット６の内部から両側脚５，５の内側面に対して上下にネジ１０で螺着されている。
【００１８】
図２及び図４に示すように、配線収納ユニット６は、左右に設けられる２枚の側板１１，１１と、この側板１１，１１の前端縁に連結される前面板１２と、側板１１，１１及び前面板１２により形成される内面に連結される上下２枚の支持板１３，１４と、上方の支持板１３と下方の支持板１４との間に配置される左右２枚の仕切板１５，１５と、左右に配置された側板１１，１１から離間して配置されて支持板１３，１４及び仕切板１５，１５に連結された後面板１７と、側板１１，１１と後面板１７との間に形成された離間部１６を開放可能に閉塞する２枚の扉板３８，３８と、を備え、これら板部材を組み合わせることにより強固な略箱体形状に形成されている。
【００１９】
図２及び図３に示すように、前面板１２の左右方向の長さは、側脚５，５の内側面同士の間の長さと同じになるように形成されている。また、前面板１２の上端縁は渡設板７の下面に当接されるようになっている。更に、前面板１２の上下方向の長さは、渡設板７の下面から床面３４までの長さよりも若干短くなるように形成されており、前面板１２の下端縁は床面３４から所定距離L離間するようになっている。
【００２０】
尚、前面板１２の後面には、水平方向に延びて互いに平行な平行溝１８，１９が上下に並んで形成されており、図６に示すように、前面板１２の後面の左右端部近傍には、垂直方向に延びる垂直溝２０が形成されている。
【００２１】
図３及び図４に示すように、側板１１の内面側には、水平方向に延びて互いに平行な平行溝２１，２２が上下に並んで形成されている。尚、側板１１の平行溝２１，２２は、前述した前面板１２の平行溝１８，１９と連続するように、平行溝２１は平行溝１８と同じ高さ位置に形成されるとともに、平行溝２２は平行溝１９と同じ高さ位置に形成されている。また、図６に示すように、側板１１の前端縁には、前方側に突出して形成された凸条２３が形成されており、この凸条２３は、側板１１の上端から下端にかけて延びるように形成されている。
【００２２】
また、支持板１３，１４における左右の側端部及び前端部には、突出された凸条２４ａ，２４ｂが形成されており、この凸条２４ａ，２４ｂは前述した前面板１２の平行溝１８，１９及び側板１１の平行溝２１，２２に嵌合されるようになっている。また、支持板１３，１４の左右端近傍には、上下方向に貫通された貫通孔２５が形成されている。この貫通孔２５は平面視で円形状をなし、後述するように電源コード３６を挿設可能な大きさに形成されている。
【００２３】
更に、上方の支持板１３の下面には、長手が前後方向を向く溝条２６が形成されるとともに、下方の支持板１４の上面にも、長手が前後方向を向く溝条２７が形成されている。また、支持板１３の下面と支持板１４の上面とを対向させた状態で、溝条２６と溝条２７とが互いに対向するようになっている。
【００２４】
図２及び図４に示すように、仕切板１５の上端縁及び下端縁には、長手が前後方向を向く凸条２８が形成されている。この凸条２８は前述した支持板１３，１４の溝条２６，２７に嵌合されるようになっている。
【００２５】
図２及び図４に示すように、後面板１７は、その左右方向の長さが前面板１２の左右方向の長さよりも短くなるように形成されているとともに、後面板１７の左右端縁は左右の両側板１１，１１から離間されており、後面板１７は背面視において収納ユニット６の中央位置に配置されている。尚、後面板１７の上下方向の長さは、渡設板７の下面から床面３４までの長さとほぼ同じになるように形成されており、後面板１７の下端縁は床面３４に近接されて所定の間隙Dが形成される。尚、後面板１７の上端縁と渡設板７の下面との間には、間隙部３２が形成されている（図３参照）。
【００２６】
図６及び図７に示すように、後面板１７と側板１１との間に形成された離間部１７には、扉板３８が配置されるようになっている。この扉板３８はスライド蝶番３１によって側板１１に対して水平方向に揺動可能に取り付けられる。扉板３８は離間部１６を覆うことができるとともに、離間部１６を開放することができる。
【００２７】
また、スライド蝶番３１は、側板１１の内側面にネジ２９によって螺着され（図５参照）、スライド蝶番３１のアーム３９の先端の取付部３０が扉板３８に螺着されている。同一構成のスライド蝶番３１が側板１１の上下２箇所に設けられており、扉板３８を揺動可能に支持している。
【００２８】
尚、スライド蝶番３１はアーム３９の回動軸（図示略）が前後方向にスライド移動できる構造となっている。そのため扉板３８の側端縁が側脚５の内側面に近接した状態であっても、扉板３８側端縁を側脚５の内側面に当接させることなく開放することができる。本実施例では、扉板３８の側端縁を側脚５の内側面に近接させて配置することで、扉板３８の側端縁と側脚５の内側面との間に間隙が形成されず、机１の見栄えを向上させている。
【００２９】
図４に示すように、本実施例の配線収納ユニット６では、支持板１３，１４間に仕切板１５が取り付けられることにより、構造上の強度が増すようになっている。また、この支持板１３，１４の上面には、配線コード３や電源タップ３５を載置できるようになっている。尚、扉板３８の上端縁と渡設板７の下面との間には、間隙部３２が形成されている（図３及び図５参照）。
【００３０】
使用者が扉板３８を開放する際には、使用者が間隙部３２に手を挿入して扉板３８の上端縁を把持して開放することができる。そのため扉板３８の開閉のための取手等を扉板３８に設ける必要がなくなり、机１の体裁をよくすることができるとともに、この間隙部３２から配線収納ユニット６内に収納された配線コード３を外部に導出することもできる。
【００３１】
本実施例の配線収納ユニット６は、予め工場等で箱体形状に組み立てられた状態で、机１の設置現場等に搬入される。次に机１の組み立て方法について説明する。先ず左右の側脚５，５の上端縁に渡設板７を連結し、この渡設板７の上面に天板４を取り付ける。その後、渡設板７と両側板１１，１１とに囲まれた空間における後方位置に、収納ユニット６を配置し、側板１１の外側面を側脚５の内側面に当接させる。この状態で、扉板３８を開放して側板１１の内側面からネジ１０を挿入して側板１１に螺着し、収納ユニット６が両側板１１，１１の間に固定された状態で取り付けられる。
【００３２】
このように、配線コード３等を収納して隠蔽するための配線収納ユニット６を、側板１１と前面板１２と支持板１３，１４と後面板１７とにより強固な略箱体形状に形成するとともに、側脚５や天板４とは別体としてユニット化することで、予め工場等で配線収納ユニット６を形成しておくことができ、机１の設置現場等にて、扉板３８を側板１１に蝶着したり、配線収納ユニット６に関する部材の組み立て作業を行う必要がなくなり、机１の設置現場における机１の組み立て作業を容易に行うことができる。
【００３３】
尚、本実施例の収納ユニット６では、予め扉板３８が取り付けてあるため、机１の設置現場等で机１を組み立てる際に、立設された側脚５に対して扉板３８を蝶着する作業を行う必要がなくなり、机１の組み立てを容易に行うことができる。
【００３４】
また、後面板１７が、左右両方の側板１１，１１から離間されて配置されるとともに、側端を両側板１１，１１に蝶着された扉板３８が、それぞれ取り付けられていることで、２枚の扉板３８が設けられ、左右方向から配線収納ユニット６内に配線コード３を収納し易くなるばかりか、左右の側板１１，１１に左右の扉板３８，３８が取り付けられることで、２枚の扉板３８，３８が互いに左右の外方側に開放されるようになり、互いの扉板３８，３８が干渉し合うことなく、左右の扉板３８，３８を開放した状態で配線収納ユニット６内に配線コード３の収納を行い易くなる。
【００３５】
また、図３に示すように、配線収納ユニット６内の支持板１３には、電源タップ３５を載置できるとともに、支持板１３，１４に形成された貫通孔２５から電源コード３６を垂らして床面３４に設置されたコンセント（図示略）等に接続することができる。
【００３６】
また、前述したように、後面板１７の下端及び扉板３８の下端が床面３４に近接して所定間隙Dを形成いるとともに、前面板１２の下端が後面板１７の下端及び扉板３８の下端よりも上方位置に配置され、前面板１２の下端と床面３４との間に所定距離Lを形成している。尚、所定距離Lは所定間隙Dよりも大きくなっている（Ｌ＞D）。そして、収納ユニット６の下方位置には、床面３４との間に前方側に開口された空間部３３が形成されるようになっている。この空間部３３が形成されることにより、机１の使用者が着席した状態で、後面板１７と扉板３８とで使用者の足元を隠蔽しつつ、使用者の爪先が配線収納ユニット６に当接するのを防ぐことができる。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
例えば、前記実施例では、配線収納ユニット６の左右方向の長さを左右の両側脚５，５の内面間の長さと同等にし、左右の両側脚５，５に配線収納ユニット６の側板１１を螺着して取り付けていたが、少なくとも床面３４から配線される配線コード３を隠蔽する目的であれば、配線収納ユニット６の左右方向の長さを左右の両側脚５，５同士の間の長さよりも短く形成し、配線収納ユニット６と側脚５との間に間隙を形成した状態で、配線収納ユニット６の上端を渡設板７に螺着して取り付けるようにしてもよい。
【００３９】
また、前記実施例では、後面板１７の左右両側縁が、左右の側板１１，１１と離間されて２つ離間部１６，１６が形成されていたが、左右の側板１１，１１のうち少なくともいずれか一方の側板１１と後面板１７の側縁が離間していればよく、他方の側板１１と後面板１７の側縁とを連結して、１つの離間部１６のみを形成して１枚の扉板３８のみの構成としてもよい。
【００４０】
また、前記実施例では、扉板３８が側板１１に蝶着され、扉板３８が揺動されることにより、離間部１６が開閉される構成となっていたが、扉板３８は必ずしも揺動により開閉される必要はなく、例えば、扉板が上下または左右方向にスライド移動されることにより開閉されるスライド扉であってもよい。
【００４１】
また、前記実施例では、扉板３８が側板１１に蝶着され、扉板３８，３８同士が互いに離れる方向に揺動開放されるようになっていたが、扉板３８を後面板１７に蝶着することで、扉板３８，３８同士を互いに近づく方向に揺動開放できるようにしてもよい。
【００４２】
また、前記実施例では、扉板３８の上端縁と渡設板７の下面との間に間隙部３２が形成され、使用者が間隙部３２に手を挿入して扉板３８の上端縁を把持して開放することができるようになっていたが、間隙部３２は使用者の手が挿入できる大きさであれば、扉板３８の上端縁における少なくとも一部に形成されていればよい。また、扉板３８の上端縁を渡設板７の下面に近接させた状態であっても、渡設板７の下面に凹部等を形成することで、扉板３８の上端縁と渡設板７の下面との間に使用者の手が挿入できる間隙部を形成してもよい。
【図面の簡単な説明】
【００４３】
【図１】本発明が適用された机を示す斜視図である。
【図２】机を示す分解斜視図である。
【図３】収納ユニットを示す縦断側面図である。
【図４】収納ユニットを示す縦断背面図である。
【図５】扉板が開放された状態の収納ユニットを示す斜視図である。
【図６】扉板が閉鎖された状態の収納ユニットを示す横断平面図である。
【図７】扉板が開放された状態の収納ユニットを示す横断平面図である。
【符号の説明】
【００４４】
１                机
３                配線コード
４                天板
５                側脚
６                配線収納ユニット
７                渡設板
１１              側板
１２              前面板
１３，１４        支持板
１５              仕切板
１６              離間部
１７              後面板
２５              貫通孔
３１              スライド蝶番
３２              間隙部
３３              空間部
３８              扉板
【図１】
2008194097.tif 000003
【図２】
2008194097.tif 000004
【図３】
2008194097.tif 000005
【図４】
2008194097.tif 000006
【図５】
2008194097.tif 000007
【図６】
2008194097.tif 000008
【図７】
2008194097.tif 000009